(57)【要約】【課題】組立時に公差の問題を引き起こすことなく、ステータをアクチュエータハウジング内に固定することができる簡単な機構を提供する。【解決手段】ステータ収容部を形成する内面を有するアクチュエータハウジングと、ステータとを備えるアクチュエータが提供される。前記ステータ収容部は、ロータ支持部材と、前記ロータ支持部材の周りに互いに離間して配置される複数の案内突起とを備え、前記複数のステータ当接突起は、前記内面と一体に形成される。前記ステータは、複数の位置決め凹部を有し、前記複数の位置決め凹部は、前記ステータが前記アクチュエータハウジングの前記ステータ収容部に収容されると、前記複数のステータ当接突起と係合可能であり、前記ステータを前記アクチュエータハウジングに対して相対的に位置決めするようになっている。【選択図】図１
2020036525.tif 000002
【特許請求の範囲】
【請求項１】
ステータ収容部を形成する内面を有するアクチュエータハウジングであって、前記ステータ収容部は、ロータ支持部材と、前記ロータ支持部材の周りに互いに離間して配置される複数のステータ当接突起とを備え、前記複数のステータ当接突起は、前記内面と一体に形成される、アクチュエータハウジングと、
複数の位置決め凹部を有するステータであって、前記複数の位置決め凹部は、前記ステータが前記アクチュエータハウジングの前記ステータ収容部に収容されると、前記複数のステータ当接突起と当接可能に係合可能であり、前記ステータを前記アクチュエータハウジングに対して相対的に位置決めするようになっている、ステータと、
を備えることを特徴とするアクチュエータ。
【請求項２】
各前記ステータ当接突起は、中央支持材と、前記中央支持材から側方に延在する位置決めヘッドとを備えることを特徴とする、請求項１に記載のアクチュエータ。
【請求項３】
前記位置決めヘッドの各々は、前記ロータ支持部材の方向に向けられることを特徴とする、請求項２に記載のアクチュエータ。
【請求項４】
各位置決めヘッドのロータ対向面は、前記ステータが前記ステータ収容部に収容されると、前記位置決め凹部のロータ近接内面に接触することを特徴とする、請求項３に記載のアクチュエータ。
【請求項５】
各位置決めヘッドは、円弧状又は実質的に円弧状又は台形状の輪郭を有することを特徴とする、請求項２乃至４のいずれか一項に記載のアクチュエータ。
【請求項６】
前記ステータの各位置決め凹部は、前記ステータから延在する１対の側方突起によって形成されることを特徴とする、請求項２乃至５のいずれか一項に記載のアクチュエータ。
【請求項７】
前記複数のステータ当接突起は、前記ロータ支持部材の周りに等角間隔に配置されることを特徴とする、請求項１乃至６のいずれか一項に記載のアクチュエータ。
【請求項８】
前記ステータは、複数のステータ部材と、前記複数のステータ部材が係合可能であるコイル本体とを備える星形ステータであることを特徴とする、請求項１乃至７のいずれか一項に記載のアクチュエータ。
【請求項９】
各ステータ部材は、前記コイル本体内に挿入可能な中央位置決めアームと、前記コイル本体の周りに係合可能な１対の外側アームとを含み、前記外側アームの各々は、前記位置決め凹部を少なくとも部分的に形成するためのストッパを含むことを特徴とする、請求項８に記載のアクチュエータ。
【請求項１０】
各位置決め凹部は、隣接するステータ部材の間の境界面に形成されることを特徴とする、請求項８又は９に記載のアクチュエータ。
【請求項１１】
前記ステータ部材の数は、前記ステータ当接突起の数に等しいことを特徴とする、請求項８乃至１０のいずれか一項に記載のアクチュエータ。
【請求項１２】
前記ステータ収容部は、更に、前記ステータを位置合わせするための複数の２次案内部材を備え、前記２次案内部材は、直立ステータアーム支持壁として設けられることを特徴とする、請求項１乃至１１のいずれか一項に記載のアクチュエータ。
【請求項１３】
使用中の前記ステータ当接突起は、前記ステータの外面に当接することを特徴とする、請求項１乃至１２のいずれか一項に記載のアクチュエータ。
【請求項１４】
ステータ収容部を形成する内面を備えるアクチュエータハウジングであって、前記ステータ収容部は、ロータ支持部材と、前記ロータ支持部材の周りに互いに離間して配置される複数のステータ当接突起とを備え、前記複数のステータ当接突起は、前記内面と一体に形成される、ことを特徴とするアクチュエータハウジング。
【請求項１５】
請求項１４に記載のアクチュエータハウジングを形成する方法であって、前記方法は、前記ロータ支持部材及び前記複数のステータ当接突起が、一緒に一体に形成されるように、前記アクチュエータハウジングを成形するステップを含む、ことを特徴とする方法。
【発明の詳細な説明】
【技術分野】
【０００１】
[0002]  本発明は、アクチュエータに関し、特に、星形モータなどの電気モータを有するアクチュエータの一部として用いられるが、必ずしもこれに限られない。本発明は、更に、アクチュエータハウジングに関する。また、アクチュエータを組み立てる方法及びアクチュエータハウジングを形成する方法も提供される。
【背景技術】
【０００２】
[0003]  ブラシレス直流モータ又はステッパモータを有するアクチュエータは、通常、プラスチックハウジングを有して製造され、これにより、モータの安価且つ効率的な製造を可能にする。多くの従来のアクチュエータは、直流又はブリキ缶（tin-can）型ステッパモータを有するが、いくつかのより現代のアクチュエータは、星形ブラシレス直流モータを利用し始めている。
【０００３】
[0004]  星形モータの問題点は、それらが、ブリキ缶（tin-can）型モータと比較して、比較的平坦であり、その結果、モータの高さよりもずっと大きい幅及び長さを有することである。ロータは、星形ステータ内に配置可能であり、高速で回転することができる。したがって、ロータの正確な位置決めは、効果的な作動にとって非常に重要であり、ロータの円滑な回転を可能にすることによって、騒音を低減することができるように、ステータを配置しなければならない。
【０００４】
[0005]  既存のアクチュエータハウジングは、ステータを、ステータの外形に形成されるハウジングの開口部に挿入することによって、組み立てられる。しかしながら、ステータ及びハウジングの製造の両方の製造公差により、ステータとステータ形開口部との間に、遊びがある可能性がある。これにより、使用中のステータのずれ、ひいてはステータに対するロータの中心ずれを招く可能性がある。これは、多構成部品ステータの特定の問題である。代替案は、単一の型打ち品の積層体として形成されるステータを提供することであり、ステータラミネーション上へのコイルの挿入は、自動化が困難である。
【０００５】
[0006]  この問題の従来の解決法は、ばね又は同様の付勢部材を、ハウジングの内部に設けて、ステータをその正しい位置内に付勢することである。これは、公差の問題を解決するが、組立工程がより複雑になるので、製造コストを著しく増大させ、また、構成部品の故障のリスクも増大させる。
【発明の概要】
【発明が解決しようとする課題】
【０００６】
[0007]  本発明は、組立時に公差の問題を引き起こすことなく、ステータをアクチュエータハウジング内に固定することができる簡単な機構を提供しようとするものである。
【課題を解決するための手段】
【０００７】
[0008]  本発明の第１の態様では、ステータ収容部を形成する内面を有するアクチュエータハウジングであって、前記ステータ収容部は、ロータ支持部材と、前記ロータ支持部材の周りに互いに離間して配置される複数のステータ当接突起とを備え、前記複数のステータ当接突起は、前記内面と一体に形成される、アクチュエータハウジングと、複数の位置決め凹部を有するステータであって、前記複数の位置決め凹部は、前記ステータが前記アクチュエータハウジングの前記ステータ収容部に収容されると、前記複数のステータ当接突起と当接可能に係合可能であり、前記ステータを前記アクチュエータハウジングに対して相対的に位置決めするようになっている、ステータと、を備えるアクチュエータを提供するものである。
【０００８】
[0009]  アクチュエータハウジングのステータ当接突起に合わせた位置決め凹部を有するステータを設けることによって、有利なことに、ステータを、突出部に対して、ある程度までロータ支持部材に対して相対的に自動的に位置合わせしながら、ステータをハウジングに容易に挿入することができる。
【０００９】
[0010]  好ましくは、各前記ステータ当接突起は、中央支持材と、前記中央支持材から側方に延在する位置決めヘッドとを備えることができる。
【００１０】
[0011]  ステータ当接突起の構造は、ステータ当接突起が、ステータの２つの隣接するステータ部材又はステータ部分の間に形成される位置決め凹部の狭い領域内に嵌合することができるようになっている。したがって、Ｔ字状又は実質的にＴ字状のステータ当接突起は、有利なことに、この条件を満たすことができる。
【００１１】
[0012]  好ましくは、前記位置決めヘッドの各々は、前記ロータ支持部材の方向に向けられることができる。
【００１２】
[0013]  位置決めヘッドをロータ支持部材の方向に向けることによって、位置決めヘッドは、位置決め凹部のロータ近接内面と接触することができ、これによって、位置決めヘッドは、使用中のステータに抗して正の保持力を与えることができる。
【００１３】
[0014]  任意選択的に、各位置決めヘッドのロータ対向面は、前記ステータが前記ステータ収容部に収容されると、前記位置決め凹部のロータ近接内面に接触することができる。
【００１４】
[0015]  位置決めヘッドが位置決め凹部に直接接触することによって、物理的保持力が、同時にいくつかの方向から生じて、ロータに対する位置合わせを維持する。
【００１５】
[0016]  好ましくは、各位置決めヘッドは、円弧状又は実質的に円弧状又は台形状の輪郭を有することができる。
【００１６】
[0017]  位置決めヘッドの実質的に円弧状又は台形状の輪郭によって、自然な支持形状を与えることができ、これにより、ステータを、アクチュエータハウジングのロータ支持部材に対して相対的に所定位置に保持するのを助ける。
【００１７】
[0018]  任意選択的に、前記ステータの各位置決め凹部は、前記ステータから延在する１対の側方突起によって形成されることができる。
【００１８】
[0019]  ステータのステータ部分の側面に形成される物理的な側方突起を設けることによって、本発明の有用な位置決め凹部を形成することができる簡単な機構を提供して、ステータが、アクチュエータハウジングのステータ当接突起に位置合わせ可能であることを確実にする。
【００１９】
[0020]  前記複数のステータ当接突起は、前記ロータ支持部材の周りに等角間隔に配置されることができる。
【００２０】
[0021]  ステータに均一な保持力を与えるためには、案内突起が、ロータ支持部材の周りに等間隔に配置されることが有益である。
【００２１】
[0022]  好ましくは、前記ステータは、星形ステータであることができる。
【００２２】
[0023]  中央ロータ収容部から半径方向に延在する複数のアームを有する星形モータの非標準的な形状は、都合よく、ステータにおいて位置決め凹部が位置することができる様々な位置を与える。
【００２３】
[0024]  一実施形態では、前記ステータは、複数のステータ部材と、前記複数のステータ部材が係合可能であるコイル本体とを備えることができる。
【００２４】
[0025]  多構成部品ステータは、従来、公差の問題がより生じやすいので、ロータとの位置合わせがより困難である。組立の観点から、多構成部品ステータは好ましく、本発明は、アクチュエータの効果への公差の影響を制限するように働く。
【００２５】
[0026]  好ましくは、各ステータ部材は、前記コイル本体内に挿入可能な中央位置決めアームと、前記コイル本体の周りに係合可能な１対の外側アームとを含むことができ、前記外側アームの各々は、前記位置決め凹部を少なくとも部分的に形成するためのストッパを含む。
【００２６】
[0027]  ステータ部材の側方突起は、アクチュエータハウジング内へのステータの有用な位置決め部として働いて、ステータ当接突起と係合可能な位置決め凹部を形成するだけでなく、潜在的に、２次ステータ当接部材が存在する場合、それと結合するようにも働く。
【００２７】
[0028]  任意選択的に、各位置決め凹部は、隣接するステータ部材の間の境界面に形成されることができる。
【００２８】
[0029]  位置決め凹部が、隣接するステータ部材の突出部の間に形成される場合、ステータ部材又はステータ部品のいずれにも、専用の位置決め凹部を形成する必要がないので、位置決め凹部の作成は、ずっと簡単である。
【００２９】
[0030]  前記ステータ部材の数は、前記ステータ当接突起の数に等しいとすることができる。
【００３０】
[0031]  突起の数をステータ部材の数に一致させることによって、各ステータ部材に対して、確実に、保持の均一化を図ることによって、ロータに対する位置合わせをずっと効果的にする。
【００３１】
[0032]  好ましくは、前記ステータ収容部は、更に、前記ステータを位置合わせするための複数の２次ステータ当接部材を備えることができる。前記２次ステータ当接部材は、直立ステータアーム支持壁として設けられることができる。
【００３２】
[0033]  ２次案内部材は、特に、星形モータのアームの位置合わせを助けることによって、ステータ収容領域におけるステータの位置決めしやすさを向上させることができる。
【００３３】
[0034]  任意選択的に、前記ステータ当接突起は、使用中に、前記ステータの外面に当接することができる。
【００３４】
[0035]  ステータ当接突起は、ステータの外面に当接することによって、効果的な保持力又はくさび力で、ステータの位置を固定して、使用中のステータが側方に外れるのを防ぐことができる。
【００３５】
[0036]  本発明の第２の態様では、ステータ収容部を形成する内壁を備えるアクチュエータハウジングであって、前記ステータ収容部は、ロータ支持部材と、前記ロータ支持部材の周りに互いに離間して配置される複数のステータ当接突起とを備え、前記複数のステータ当接突起は、前記内壁と一体に形成される、アクチュエータハウジングを提供するものである。
【００３６】
[0037]  ステータと係合するのに適したステータ当接突起が一体に形成されているアクチュエータハウジングによって、ロータ支持部材によって規定される予想ロータ位置に対する位置合わせの問題を引き起こすことなく、ステータを容易に挿入することができる。
【００３７】
[0038]  好ましくは、各前記ステータ当接突起は、中央支持材と、前記中央支持材から側方に延在する位置決めヘッドとを備えることができる。
【００３８】
[0039]  前記位置決めヘッドの各々は、前記ロータ支持部材の方向に向けられることができる。
【００３９】
[0040]  任意選択的に、各位置決めヘッドは、円弧状又は実質的に円弧状の輪郭を有することができる。
【００４０】
[0041]  前記ステータ当接突起の各々は、前記ロータ支持部材の周りに等角間隔に配置されることができる。
【００４１】
[0042]  好ましくは、前記ステータ収容部は、更に、前記ステータを位置合わせするための複数の２次案内部材を備えることができる。
【００４２】
[0043]  前記２次案内部材は、直立ステータアーム支持壁として設けられることができる。
【００４３】
[0044]  本発明の第３の態様では、本発明の第２の態様によるアクチュエータハウジングを形成する方法であって、前記方法は、前記ロータ支持部材及び前記複数のステータ当接突起が、一緒に一体に形成されるように、前記アクチュエータハウジングを成形するステップを含む、方法を提供するものである。
【００４４】
[0045]  アクチュエータのステータ当接突起及びロータ支持部材を、単一の成形ステップで形成することによって、これらの構成部品の相対的な位置決めが固定される。これにより、多構成部品ステータのより大きな問題であるステータの製造の公差を補償する。
【図面の簡単な説明】
【００４５】
【図１】本発明の第１の態様によるアクチュエータの一実施形態の分解斜視図である。
【図２】図１のアクチュエータのアクチュエータハウジングの平面図である。
【図３】アクチュエータハウジングのステータ収容部にステータを挿入した状態の図１のアクチュエータを示す図である。
【図４】図１のアクチュエータのステータの平面図である。
【図５】図３に示すアクチュエータの平面図である。
【図６】ロータ、歯車列、及びアクチュエータハウジングの第２の部分を含む、図１のアクチュエータの分解斜視図である。
【発明を実施するための形態】
【００４６】
[0046]  ここで、添付図面を参照して、単なる例示として、本発明をより詳細に説明する。
【００４７】
[0053]  図１は、ステッパモータ又は同様の（好ましくは星形）ブラシレス直流モータとして用いるのに適しているアクチュエータ（全体を符号１０で示す）を示す。アクチュエータ１０は、アクチュエータハウジング１２と、アクチュエータハウジング１２のステータ収容部１６に挿入可能であるステータ１４とを備える。
【００４８】
[0054]  アクチュエータ１０は、星形モータ専用に設計されているので、ステータ１４は、星形として示される。しかしながら、ステッパモータ又はブラシレス直流モータなどの従来のブラシレスモータなどの他のモータ構成のために、本発明を実施することができる。
【００４９】
[0055]  図２に別個に示すアクチュエータハウジング１２は、アクチュエータの必要な構成部品をアクチュエータハウジング１２に挿入することができるように、形成される。したがって、アクチュエータハウジング１２のベース２０の内面１８は、前記構成部品を収容するように構成される形状を有することができ、その周囲に直立外壁２２を有し、直立外壁２２は、アクチュエータハウジング１２の大きさを規定する。
【００５０】
[0056]  ステータ収容部１６は、ロータ支持部材２４を含み、ロータ支持部材２４は、ロータのための軸支持材として示され、ここでは、中空ロータと係合するように所定位置に軸２６を有して示され、ステータ１４のための中央位置を規定する。軸２６は、通常、別個の部材として設けられるが、ハウジング１２のロータ支持部材２４と一体に形成される、ひいてはハウジング１２と一体に形成されるように設けることができる。ロータ支持部材は、軸支持材として示されているが、また、軸そのもの、又は実際にロータのための軸受支え及び／又は軸受とすることができる。ロータ支持部材２４は、ロータを、ステータ１４に対して相対的に回転するように位置決めするように働く。
【００５１】
[0057]  ステータ収容部１６の１次位置決め機構は、複数のステータ当接突起２８として設けられ、ステータ当接突起２８は、アクチュエータハウジング１２の内面１８から、好ましくは軸２６と平行な方向に直立しており、ステータ１４と当接可能に係合して、ステータ１４を、アクチュエータハウジング１２の所定位置に保持するように設計される。ここでは、４つのステータ当接突起２８が示され、４つのアームの星形ステータ１４と対応する。ステータ当接突起２８の数がステータ１４のアームの数に等しいこと、及び／又はステータ当接突起２８の数がステータ１４のアームの間の接合部の数に等しいことが好ましいが、等しくない数の場合、しかしながら、特に多数のアームを有する星形モータの場合、確実な係合を実現することができる。
【００５２】
[0058]  各ステータ当接突起２８は、好ましくは、中央支持材３０と、中央支持材３０から側方に延在する位置決めヘッド３２とを備えて、平面で見て略Ｔ字状の輪郭を有するようになっている。ここでは、中央支持材３０は、第一に、構造支持材に設けられ、必要な場合には、省くことができる。ステータ当接突起２８は、一旦挿入されると、ステータ１４を支持するように働く。
【００５３】
[0059]  各位置決めヘッド３２は、円弧状、略円弧状、傾斜面状、テーパ状、凹状又は台形状の輪郭を有することができ、それ自体は、ロータ支持部材２４の方向に向けられる。ステータの挿入を助けるように好ましくは傾斜又は面取りされた上部自由端縁に加えて、各位置決めヘッド３２は、好ましくは、ロータ対向面３２ａを有し、ロータ対向面３２ａは、ステータがステータ収容部１６に収容されると、ステータ１４に接触し、位置決めヘッド３２の外側方に突出する部材（例えばアーム又は翼部など）は、ステータ１４の固定手段として働くように構成される。位置決めヘッド３２の形状は、ステータ１４自体の形状によって決定されやすいが、本ステータ当接突起２８の形状は、対応するロータを取り囲むステータ１４の概ね円形の中央部を支持するのに役立つことができると理解されるであろう。
【００５４】
[0060]  ステータ収容部１６は、ステータ１４のための溝又は収容部などの２次案内部材３４を含むことができ、ここでは、直立ステータアーム支持壁３６として形成され、これらは、対になって、ステータ１４のアーム３８を収容して位置合わせするための溝を形成することができ、これは、図３及び図５に示す接続構成から最も良く視覚化することができ、図では、ステータ１４は、ステータ収容部１６に挿入されて、軸２６が、ステータ１４のロータ収容空間４０を貫通して延在するようになっている。実際に、且つ図１で分かるように、２次案内部材３４とステータ当接突起２８との間の空間は、ステータ１４の部分が着座することができるサドルを効果的に形成することができる。スナップ嵌合係合部材又は成形品などの他の２次案内部材３４が考えられる。
【００５５】
[0061]  追加の軸４２（この場合も、好ましくは、アクチュエータハウジング１２から延在する直立スピンドル、シャフト又は軸状である）を用いて、アクチュエータの歯車列を支持する。例示的な追加の軸４２は、図３で分かり、歯車列の歯車の位置を示したり固定したりするのを助ける。また、これらは、ここでは別個の構成部品として示されるが、潜在的に、アクチュエータハウジング１２と一体に形成されるか、又はアクチュエータハウジング１２の一部として形成されることができる。
【００５６】
[0062]  本発明のステータ１４は、図４により詳細に示され、アクチュエータハウジング内の元の位置にあるところが、図５により効果的に示されている。本発明は、多構成部品ステータを想定してなされたものである。というのは、各構成部品の製造公差は、完成したステータ１４において累積して、使用中のステータ１４の心合わせに伴う本技術分野で公知の問題を悪化させるからである。
【００５７】
[0063]  ステータ１４は、好ましくは、ロータ収容空間４０を形成する中央部を有するコイル本体４４と、ステータ１４のアーム３８を形成する複数の半径方向に延在する部材とを備える。コイル巻線４６を、半径方向に延在する部材の各々の周りに巻き付けることができる。コイル本体４４は、好ましくは、電気絶縁材料から形成される。
【００５８】
[0064]  ステータ１４は、また、複数の別個のステータ部材４８を備え、ステータ部材４８は、ここでは、３つの結合されたアーム、すなわち、２つの外側ステータアーム５０及び中央位置決めアーム５２を有するように形成される。各外側ステータアーム５０の端部は、コイル本体４４の半径方向に延在する部材の周りに係合するように形成され、中央位置決めアーム５２は、コイル本体４４の半径方向に延在する部材内に収容可能である。
【００５９】
[0065]  ステータ１４は、全体として、複数の位置決め凹部５４を有するように形成され、複数の位置決め凹部５４は、ステータ１４がアクチュエータハウジング１２のステータ収容部１６に挿入されると、ステータ当接突起２８と収容可能に係合可能である。位置決め凹部５４の形状は、ステータ部材４８の外側ステータアーム５０の各々から外方に突出する側方突起５６の存在によって形成されて、一旦ステータ１４が組み付けられると、位置決め凹部５４が、２つの隣接するステータ部材４８の間に、及び／又は、２つの隣接するステータ部材４８の間の境界面に形成されるようになっている。
【００６０】
[0066]  側方突起５６は、好ましくは、側方突起５６の対向する対の間の収縮又はスロートアクセス部５４ａになる形状を与える。スロートアクセス部５４ａを有する位置決め凹部５４は、ステータ当接突起２８の位置決めヘッド３２を軸方向に収容して側方に保持するのに適している。ステータ当接突起２８は、好ましくは、ステータ１４を、ロータ支持部材２４に対して所定位置に拘束して保持するように配置される。側方突起５６は、２次案内部材３４に当接して、ステータ１４に、更に大きい正の側方位置決め力を与えて、ステータ１４を、特に使用時に、よりしっかりと保持することもできる。したがって、側方突起５６は、使用中に、２次案内部材３４とステータ当接突起２８との間のサドルに着座することができる。
【００６１】
[0067]  したがって、位置決めヘッド３２のロータ対向面３２ａの形状は、好ましくは、各位置決め凹部５４のロータ近接内面５８と一致するように形成することができる。ここでは、これは、位置決めヘッド３２の擬似円弧状の輪郭と一致し、また、部分的に台形状とすることによって、ロータ近接内面５８を反映することも考えられる。
【００６２】
[0068]  ロータ近接内面５８は、位置決め凹部５４の面とすることが考えられる。その面は、第１のステータ部材４８の第１のストッパを形成する第１の側方突起５６から、コイル本体４４の中心に向かって外側ステータアーム５０に沿って、隣接するステータ部材４８の間の境界面を横切って、又は潜在的に、ステータ部材４８が互いにわずかに離間している場合、コイル本体４４を横切って、第２のステータ部材４８の隣接する外側ステータアーム５０に達して、第２のステータ部材４８の第２のストッパを形成する第２の側方突起５６まで延在するものに至り且つそれを含む。
【００６３】
[0069]  少なくともステータ当接突起２８及びロータ支持部材２４、好ましくは２次案内部材３４も備えるアクチュエータハウジング１２は、この実施形態では、一体型ユニットとして形成されるので、アクチュエータハウジング１２の製造公差は、著しく低減される。これらの構成部品の互いに対する位置決めが固定されるので、多構成部品ステータ１４の構造の小さい公差を吸収することができ、ステータ当接突起２８は、好ましくは、一旦ステータ収容部１６に挿入されると、ステータ１４に対して保持付勢力を与える。
【００６４】
[0070]  このようなアクチュエータハウジング１２を形成するため、ロータ支持部材２４及び複数のステータ当接突起２８が、一緒に一体に形成されるように、例えば射出成形による成形が、都合よく考えられる。
【００６５】
[0071]  完全なアクチュエータ装置６０が、図６に示されている。アクチュエータハウジング１２は、好ましくは、２つの部分からなるハウジングであり、前述のベース部６２と、ベース部６２と係合可能である蓋部６４とを備える。ロータ支持部材２４に収容可能な軸２６は、ロータ６６と同軸であり、ロータ６６は、ロータ収容空間４０内に収容される。また、コネクタユニット６８が設けられ、コネクタユニット６８は、電気コネクタを含み、電気コネクタは、電源に接続されて、コイル巻線４６を付勢することができる。
【００６６】
[0072]  また、追加の軸４２は、歯車列の様々な歯車７０と同一直線上に示され、ロータ６６からの駆動力をアクチュエータ６０の出力に伝達する。歯車７０の配置は、星形モータに関連する大面積の必要を考慮して、アクチュエータハウジング１２の最小限の高さしか要さないようにする。
【００６７】
[0073]  したがって、このようなアクチュエータは、ステータ１４をアクチュエータハウジング１２のステータ収容部１６に挿入することによって、組み立てることができる。複数の位置決め凹部５４は、複数のステータ当接突起２８と係合して、ステータ１４をロータ支持部材２４に対して位置合わせし、好ましくは、ステータ当接突起２８は、各々、ステータ１４に接触して、均一又は比較的均一な保持力を、少なくとも側方に与える。
【００６８】
[0074]  ステータ１４の軸方向保持力を向上させるため、ステータ当接突起の１つ又はそれ以上は、デテント、キャッチ、ラッチ又はフックなどの軸方向保持部材を含むことができる。例えば、傾斜外面を有する突出フィンガなどの外方に突出するカンチレバーフックを設けることによって、ステータは、位置決め凹部５４でステータ当接突起上に摺動することができ、フックは、ステータがその上に押されると、曲がり、そして、例えばロータ近接内面５８において又はロータ近接内面５８に隣接して、ステータ本体の端縁上に突出するように戻る。したがって、ステータ１４は、使用時、振動又は震動などの軸方向の力を受けるときも、適所により弾性的に保持される。
【００６９】
[0075]  多構成部品ステータ１４の場合、ステータ収容部１６に挿入する前の組立は、星形構成を有するコイル本体４４を設け、複数のステータ部材４８をコイル本体４４のアームと係合することによって、行うことができ、各位置決め凹部５４は、隣接するステータ部材４８の間の境界面に形成される。
【００７０】
[0076]  本発明について、アクチュエータハウジングのステータ当接突起が挿入可能であり、ステータを元の位置に位置合わせして位置決めする凹部を有するステータを有するものとして説明してきた。ステータから延在し、アクチュエータハウジングの対応する凹部に挿入可能である突起を設けることができると理解されるであろう。
【００７１】
[0077]  したがって、ステータが、アクチュエータハウジングの内部に直接且つ容易に位置決め可能であるアクチュエータを提供することができる。アクチュエータハウジングには、ステータにある位置決め凹部と相互に係合可能な複数のステータ当接突起が設けられる。ステータ当接突起は、アクチュエータハウジングと一体に形成され、ひいてはアクチュエータのロータの軸に対して相対的に固定されるので、ステータの位置も固定される。これは、通常、単体のステータよりもずっと大きい製造公差を有する多構成部品ステータの構成にとって有利である。これによって、構成部品の故障のリスクも著しく軽減しながら、付勢部品がステータに必要ないので、費用効果的なステータを製造することができる。
【００７２】
[0078]  「備える（comprises/comprising）」という語及び「有する／含む（having/including）」という語は、本発明を参照して本明細書で用いられる場合、説明する特徴、整数、工程又は部品の存在を規定するために使用され、他の１つ以上の特徴、整数、工程、部品又はそれらのグループの存在又は追加を排除するものではない。
【００７３】
[0079]  明確にするために別個の実施形態に関連して説明されている本発明の特定の特徴は、１つの実施形態において組み合わせて提供してもよいものと理解される。逆に、簡潔にするために１つの実施形態に関連して説明されている本発明の種々の特徴を、個別に又はそれらを適当に組み合わせて提供してもよい。
【００７４】
[0080]  上記の実施形態は単なる例示であり、本明細書で定義する本発明の範囲から逸脱することなく、他の様々な修正が、当業者にとって明らかである。
【符号の説明】
【００７５】
１０  アクチュエータ
１２  アクチュエータハウジング
１４  ステータ
１６  ステータ収容部
１８  内面
２０  ベース
２２  直立外壁
２４  ロータ支持部材
２６  軸
２８  ステータ当接突起
３０  中央支持材
３２  位置決めヘッド
３２ａ  ロータ対向面
３４  ２次案内部材
３６  直立ステータアーム支持壁
３８  アーム
４０  ロータ収容空間
４２  追加の軸
４４  コイル本体
４６  コイル巻線
４８  ステータ部材
５０  外側ステータアーム
５２  中央位置決めアーム
５４  位置決め凹部
５４ａ  スロートアクセス部
５６  側方突起
５８  ロータ近接内面
６０  アクチュエータ
６２  ベース部
６４  蓋部
６６  ロータ
６８  コネクタユニット
７０  歯車
【図１】
2020036525.tif 000003
【図２】
2020036525.tif 000004
【図３】
2020036525.tif 000005
【図４】
2020036525.tif 000006
【図５】
2020036525.tif 000007
【図６】
2020036525.tif 000008
【外国語明細書】
2020036525000001.pdf